(57)【要約】【課題】不正行為検知時に、払い出し皿へ払い出された遊技メダルを、不正行為者（ゴト師）から没収することができるようにした遊技機を提供する。【解決手段】遊技機(10)の前面側に突出して上方に開口する開口部(122)を有する皿状に形成されるとともに、入賞の結果、払い出される遊技媒体を貯留可能な払い出し皿(120)と、遊技を制御する遊技制御手段(27)と、遊技中に通常動作とは異なる異常動作を検出したときにエラー信号を発生させるエラー信号発生手段(130)と、エラー信号発生手段(130)のエラー信号の発生により、払い出し皿(120)から遊技者による遊技媒体の取り出しを不能にするために、払い出し皿(120)の開口部(122)を閉塞する閉塞手段(210)とを備えている。【選択図】図１
2008036141.tif 000002
【特許請求の範囲】
【請求項１】
遊技媒体の投入を条件として遊技が開始可能となり、所定の入賞の結果、所定数の遊技媒体が払い出されるように設定された遊技機において、
前記遊技機の前面側に突出して上方に開口する開口部を有する皿状に形成されるとともに、入賞の結果、払い出される遊技媒体を貯留可能な払い出し皿と、
遊技を制御する遊技制御手段と、
遊技中に通常動作とは異なる異常動作を検出したときにエラー信号を発生させるエラー信号発生手段と、
前記エラー信号発生手段のエラー信号の発生により、前記払い出し皿から遊技者による遊技媒体の取り出しを不能にするために、前記払い出し皿の前記開口部を閉塞する閉塞手段とを備えていることを特徴とする遊技機。
【請求項２】
前記閉塞手段は、
前記払い出し皿の前記開口部を覆う巻き取り可能なシャッターカバー部材を備え、
前記シャッターカバー部材を左右方向の水平軸で巻き取るように回転又はその逆回転させることにより、前記払い出し皿の前記開口部を前後方向に進退可能に形成されていることを特徴とする請求項１記載の遊技機。
【請求項３】
前記閉塞手段は、
前記遊技機奥方向から前記払い出し皿の前記開口部に移動して、前記払い出し皿の前記開口部を隠す移動板を備えていることを特徴とする請求項１記載の遊技機。
【請求項４】
前記遊技機は、前記払い出し皿の上方に位置して、遊技機の遊技内容の情報を表示するパネルを備え、
前記閉塞手段は、
前記パネルと、
前記パネルを下方に移動させて、前記払い出し皿の前記開口部を前記パネルによって隠すパネル移動手段とを備えたことを特徴とする請求項１記載の遊技機。
【発明の詳細な説明】
【技術分野】
【０００１】
この発明は、ゴト行為が行われたときに、既に払い出し皿へ払い出された遊技メダルを没収することができる遊技機に関するものである。
【背景技術】
【０００２】
従来、遊技媒体の投入を遊技開始の条件とする遊技機、具体的に、例えば、いわゆるスロットマシンでは、遊技媒体としての遊技メダルの投入を遊技開始の条件として、また、遊技メダルではなく遊技球（パチンコ球）を使用するスロットマシンでは、遊技媒体としての遊技球（パチンコ球）の投入を遊技開始の条件として、設定されている。そして、この遊技メダルや、遊技球は、投入口から投入されて、投入口下の通路内部における光センサー等からなる遊技媒体検出手段により、投入が検出されていた。
そして、遊技媒体の投入がかかる遊技媒体検出手段（いわゆる投入スイッチ）により検出されると、投入された遊技媒体は、次の遊技開始の条件として使用される遊技メダル３枚（遊技球では１５個）を除いて、クレジットとして、遊技メダル最大５０枚（遊技球では２５０個）の遊技媒体が、いわゆるクレジット数としてカウントされていた。そして、次の遊技からは、ベットスイッチを押下することにより、クレジットされた遊技媒体から所定数（例えば遊技メダル３枚、遊技球では１５個）の遊技媒体が減算されて、遊技開始の条件としての投入された遊技媒体として、使用することができるように形成されている（例えば、特許文献１。）。
【０００３】
また、この種の遊技機、例えばスロットマシンのメダル投入口は、上方から遊技メダルを投入するためのメダル投入スリットを有するメダル投入口が設けられており、スロットマシン内部には、メダル投入スリットから投入された遊技メダルを検出するためのメダルセンサが設けられている。このメダルセンサは、遊技メダルの通過を検知する光センサであり、複数のセンサを所定距離離して並べて設置することにより、双方のセンサの検知間隔を制御装置が監視してメダルの通過によらないセンシングを発見できるように形成されていた。
そして、従来より、薄いセルロイド板を遊技機の隙間から差し込んで、不正に遊技媒体を獲得するゴト行為、いわゆるセルゴトと呼ばれるものがある。
【０００４】
特に、近年では、かかる光センサーを用いたメダル検出手段に対するゴト行為として、投入口からＬＥＤ等の光発生装置を装着して、遊技媒体の移送経路に差し込み可能な細長いセルロイド板等を、投入口から差し込み、光発生装置の光を点滅させることにより、偽の遊技媒体の通過信号を発生させる、いわゆる「クレマン君」と呼ばれるような不正行為装置が出回っている。
このような不正行為装置により、遊技媒体検出手段の光センサーを誤動作させて、遊技媒体を投入していないにも拘わらずクレジット数を増加させて、その後、精算スイッチにより、誤動作によりクレジットされた遊技媒体を、払い出して、その遊技媒体を、かかる不正行為によって獲得するような、いわゆるゴト行為が行われる場合がある。
【０００５】
これらは、クレジット満タンゴトと呼ばれるもので、異常な速さでクレジット数が増加したり、長時間、メダルセレクターの中に遊技メダルが留まったり、遊技メダルが逆流した場合に発生している可能性が高いものである。
そして、このようなクレジット満タンゴトを行う場合、不正行為により払い出される遊技メダルは、遊技機の前扉の下部に設けた皿状の払い出し皿に払い出される。
なお、下皿ではなく上皿から遊技メダルが溢れるのを防止するため、上皿をカバーで覆う従来技術が検討されている（特許文献２参照）。
【特許文献１】特開２００３−１０３８８号公報
【特許文献２】特開２００４−１６６１４号公報
【発明の開示】
【発明が解決しようとする課題】
【０００６】
しかし、上記した従来の遊技機では、エラー信号の発生等により、ゴト行為等を遊技の途中で検出することができても、既に払い出し皿へ払い出された遊技メダルに関しては、不正行為者（ゴト師）の手に渡ってしまうといった問題点があった。
そこで、各請求項にそれぞれ記載された各発明は、上記した従来の技術の有する問題点に鑑みてなされたものであり、その目的とするところは、次の点にある。
（請求項１）  すなわち、請求項１記載の発明は、上記した従来の技術の有する問題点に鑑みてなされたものであり、その目的とするところは、不正行為検知時に、払い出し皿へ払い出された遊技メダルを、不正行為者（ゴト師）から没収することができるようにした遊技機を提供しようとするものである。
【０００７】
（請求項２）  請求項２記載の発明は、上記した請求項１記載の発明の目的に加え、次の点を目的とする。すなわち、請求項２記載の発明は、シャッターカバー部材を巻き取ることで、収納した状態の占有空間を小さなものにすることができて、遊技機内部の空間の有効利用ができるようにした遊技機を提供しようとするものである。
（請求項３）  請求項３記載の発明は、上記した請求項１記載の発明の目的に加え、次の点を目的とする。すなわち、請求項３記載の発明は、移動板により、強度的に強固なもので払い出し皿を覆うことができて、遊技メダルの没収を確実なものにすることができるようにした遊技機を提供しようとするものである。
【０００８】
（請求項４）  請求項４記載の発明は、上記した請求項１に記載の発明の目的に加え、次の点を目的とする。すなわち、請求項４記載の発明は、パネルを、払い出し皿の開口部を隠す部材として利用し、部品の共有化を図ることができるようにした遊技機を提供しようとするものである。
【課題を解決するための手段】
【０００９】
（請求項１）
（特徴点）  請求項１記載の発明は、次の点を特徴とする。すなわち、遊技媒体の投入を条件として遊技が開始可能となり、所定の入賞の結果、所定数の遊技媒体が払い出されるように設定された遊技機(10)において、前記遊技機(10)の前面側に突出して上方に開口する開口部(122)を有する皿状に形成されるとともに、入賞の結果、払い出される遊技媒体を貯留可能な払い出し皿(120)と、遊技を制御する遊技制御手段(27)と、遊技中に通常動作とは異なる異常動作を検出したときにエラー信号を発生させるエラー信号発生手段(130)と、前記エラー信号発生手段(130)のエラー信号の発生により、前記払い出し皿(120)から遊技者による遊技媒体の取り出しを不能にするために、前記払い出し皿(120)の前記開口部(122)を閉塞する閉塞手段(210)とを備えていることを特徴とする。
【００１０】
また、ここで、「遊技機(10)」とは、具体的には、例えば、スロットマシンであるが、上述した回転リール(40)を有するパチンコ機や、その他の遊技機を含むものである。
また、ここで、「遊技媒体」とは、遊技機(10)内部への投入により遊技開始の条件となり、また、入賞により所定数が遊技者へ払い出される価値物であって、具体的には、例えば、円板状の遊技メダルであるが、それに限定されるものではなく、通常のコインでもよく、また、球状のボール球でもよいものである。
（作用）  本発明は、エラー信号発生手段(130)が、遊技中に通常動作とは異なる異常動作を検出したときには、エラー信号を発生する。そして、エラー信号発生手段(130)でのエラー信号の発生により、閉塞手段(210)が、払い出し皿(120)の開口部(122)を閉塞する。これにより、払い出し皿(120)に貯留している遊技媒体の遊技者による取り出しが不能となる。したがって、エラー信号が発生する前、不正行為者（ゴト師）の不正行為により、既に、遊技媒体が払い出し皿(120)へ払い出されていても、払い出し皿(120)内部の遊技媒体の取り出しをできないようにしてしまう。これにより、かかる遊技媒体が不正行為者（ゴト師）の手に渡ってしまうのを防止することができる。結果として、不正行為検知時に、既に、払い出し皿へ払い出された遊技メダルを不正行為者（ゴト師）から没収することができる。
【００１１】
（請求項２）
（特徴点）  請求項２記載の発明は、上記した請求項１記載の発明の特徴点に加え、次の点を特徴とする。すなわち、前記閉塞手段(210)は、前記払い出し皿(120)の前記開口部(122)を覆う巻き取り可能なシャッターカバー部材(220)を備え、前記シャッターカバー部材(220)を左右方向の水平軸で巻き取るように回転又はその逆回転させることにより、前記払い出し皿(120)の前記開口部(122)を前後方向に進退可能に形成されていることを特徴とする。
なお、ここで、「巻き取り可能なシャッターカバー部材(220)」は、短冊状のものをシャッター状につなぎ合わせた通常のシャッター状の構造のものに限定されるものではなく、フレキシブルに曲げることが可能で巻き取ることが可能な軟質板部材のようなものや、遊技媒体を通すことができないような寸法形状の網の目を有して、巻き取り可能な網状部材であっても良い。
【００１２】
また、ここで、「前記シャッターカバー部材(220)を左右方向の水平軸で巻き取るように回転又はその逆回転させることにより、前記払い出し皿(120)の前記開口部(122)を前後方向に進退可能に形成されている」とは、具体的には、巻き取り軸(240)を巻き取る方向に回転させることにより、シャッターカバー部材(220)を巻き取って、払い出し皿(120)の開口部(122)のシャッターカバー部材(220)を奥方向に移動させること、或いは、巻き取り軸(240)を、巻き取る方向とは逆回転させることにより、シャッターカバー部材(220)を手前側にせり出して、払い出し皿(120)の開口部(122)へシャッターカバー部材(220)を移動させることが可能となるように形成されていることを意味する。
【００１３】
（作用）  本発明に係る閉塞手段(210)は、巻き取り可能なシャッターカバー部材(220)を使用している。このため、シャッターカバー部材(220)は、通常時は、遊技機(10)内部で巻き取ることにより、コンパクトに小さな占有空間内で収納することができる。したがって、遊技機(10)内部の空間の有効利用が可能となる。
（請求項３）
（特徴点）  請求項３記載の発明は、上記した請求項１記載の発明の特徴点に加え、次の点を特徴とする。すなわち、前記閉塞手段(210)は、前記遊技機(10)奥方向から前記払い出し皿(120)の前記開口部(122)に移動して、前記払い出し皿(120)の前記開口部(122)を隠す移動板(320)を備えていることを特徴とする。
【００１４】
（作用）  本発明に係る閉塞手段(210)は、移動板(320)を使用している。このため、移動板(320)は、強度的に強固なものにすることができ、かかる強度的に強固な移動板(320)により、払い出し皿(120)の開口部(122)を覆うことができる。このように移動板(320)で払い出し皿(120)の開口部(122)を覆うことにより、払い出し皿(120)内部の遊技メダルの没収を確実なものにすることができる。
（請求項４）
（特徴点）  請求項４記載の発明は、上記した請求項１に記載の発明の特徴点に加え、次の点を特徴とする。すなわち、前記遊技機(10)は、前記払い出し皿(120)の上方に位置して、遊技機(10)の遊技内容の情報を表示するパネル(420)を備え、前記閉塞手段(210)は、前記パネル(420)と、前記パネル(420)を下方に移動させて、前記払い出し皿(120)の前記開口部(122)を前記パネル(420)によって隠すパネル移動手段(430)とを備えたことを特徴とする。
【００１５】
（作用）  本発明に係る閉塞手段(210)は、遊技内容の情報を表示するパネル(420)を下方に移動させて、払い出し皿(120)の開口部(122)を前面側から隠すようにしている。このように、遊技内容の情報を表示するパネル(420)を、払い出し皿(120)の開口部(122)を隠す部材として利用することにより、部品の共有化を図ることができて、部品点数の減少化、部品の製造コストの低減化を図ることができる。
【発明の効果】
【００１６】
本発明は、以上のように構成されているので、以下に記載されるような効果を奏する。
（請求項１）  請求項１記載の発明によれば、次のような効果を奏する。すなわち、請求項１記載の発明によれば、不正行為検知時に、払い出し皿へ払い出された遊技メダルを、不正行為者（ゴト師）から没収することができるようにした遊技機を提供することができる。
（請求項２）  請求項２記載の発明によれば、上記した請求項１記載の発明の効果に加え、次のような効果を奏する。すなわち、請求項２記載の発明によれば、シャッターカバー部材を巻き取ることで、収納した状態の占有空間を小さなものにすることができて、遊技機内部の空間の有効利用ができるようにした遊技機を提供することができる。
【００１７】
（請求項３）  請求項３記載の発明によれば、上記した請求項１記載の発明の効果に加え、次のような効果を奏する。すなわち、請求項３記載の発明によれば、移動板により、強度的に強固なもので払い出し皿を覆うことができて、遊技メダルの没収を確実なものにすることができるようにした遊技機を提供することができる。
（請求項４）  請求項４記載の発明によれば、上記した請求項１に記載の発明の効果に加え、次のような効果を奏する。すなわち、請求項４記載の発明によれば、パネルを、払い出し皿の開口部を隠す部材として利用し、部品の共有化を図ることができるようにした遊技機を提供することができる。
【発明を実施するための最良の形態】
【００１８】
（第１の形態）
（図面の説明）  図１乃至図８は、本発明の第１の形態を示すものである。図１はシャッターカバー部材で払い出し皿の開口部を閉塞した状態の遊技機の縦断面図、図２はシャッターカバー部材を奥側に巻き取って、払い出し皿の開口部を開放した状態の遊技機の縦断面図、図３はシャッターカバー部材で払い出し皿の開口部を閉塞した状態の遊技機の部分縦断面図、図４はシャッターカバー部材を奥側に巻き取って、払い出し皿の開口部を開放した状態の遊技機の部分縦断面図、図５は遊技機の外観正面図、図６は入力、制御及び出力のブロック図、図７及び図８は払い出し皿の閉塞の制御のフローをそれぞれ示すものである。
【００１９】
（遊技機10）  遊技機10は、正面に向かって開口する正面開口部を有する四角箱状の筐体11を有する。この筐体11の正面開口部の向かって左縁側には、筐体11の正面開口部を開閉自在に塞ぐ前扉14がヒンジにより軸支されている。前記前扉14の中央部から上部には、遊技者側に向かって臨む略四角窓状の表示窓12が形成されている。そして、この表示窓12の略中央には、三個の回転リール40の図柄61、いわゆる停止図柄61を見ることができる図柄表示窓13が形成されている。そして、前扉14の下部には、入賞した場合に、賞品としての遊技媒体が払い出される払い出し口161が形成されている。そして、この払い出し口161の下方には、払い出し口161から払い出された遊技媒体を貯留するため、上方に向かって開口する皿状の払い出し皿120が突出している。
【００２０】
前記回転リール40は、図５の向かって左端側に位置する左側回転リール43と、図５の向かって右端側に位置する右側回転リール45と、この左側回転リール43及び右側回転リール45の間に位置する中央回転リール44とからなるものである。そして、遊技機10の前面側には、特に図示しないが、横方向に三本、左右の対角線上の斜め方向に二本の合計五本の入賞ラインが形成されている。そして、この入賞ラインは、投入メダルの枚数に応じて入賞が有効になる入賞有効ラインとなるものである。具体的には、遊技メダルの投入枚数が、１枚の場合、五本の入賞ラインのうち、横中央の一本が入賞有効ラインとなる。そして、遊技メダルの投入枚数が、２枚の場合、五本の入賞ラインのうち、横方向の三本が入賞有効ラインとなる。そして、遊技メダルの投入枚数が、３枚の場合、対角線も含めた五本の入賞ラインの全部が、入賞有効ラインとなる。
【００２１】
遊技機10の内部には、図示していないが、遊技機10の全体の動作を制御するための制御装置20（図１、図２及び図６参照）が内蔵されている。
なお、ここで、「前面」や「前方向」や「手前方向」とは、作業者（或いは遊技者）が、遊技機Sの正面側の前に遊技機Sの方に顔を向けて座って、或いは、立っているような場合のかかる作業者（或いは遊技者）から見た場合の奥から手前への方向を意味する。したがって、前方向や手前方向とは、遊技機Sの奥から正面へ向かう方向を意味する。
また、「背面」や「後方向」や「奥方向」とは、作業者（或いは遊技者）が、遊技機Sの正面側に遊技機Sの方を向いて位置しているような場合のかかる作業者（或いは遊技者）から見たときの手前から奥への方向を意味する。したがって、後方向とは、遊技機Sの正面から奥（後ろ）へ向かう方向を意味する。また、本明細書における「左方向」や「右方向」等の左右方向も、かかる遊技機Sの前面の方を向いて位置している者から見た場合の右方向や、左方向を意味する。
【００２２】
（払い出し皿120）  前記払い出し皿120は、前扉14の下部に位置して、遊技機10の前面側に突出するように固定されているものである。そして、この払い出し皿120は、上方に向かって開口する開口部122を有し、全体形状が皿状に形成されている。そして、この払い出し皿120は、入賞の結果、払い出される遊技媒体としての遊技メダルを貯留可能なものである。
前記払い出し皿120の奥側の上部には、左右にスリット状であって表裏に開口するカバー用開口部225が形成されている。このカバー用開口部225から、遊技機10の内部に巻き取られて収納されている後述するシャッターカバー部材220が前後方向に進退可能に形成されているものである。そして、このカバー用開口部225から手前側に向かってせり出してくるシャッターカバー部材220が、払い出し皿120の開口部122を覆うことにより、払い出し皿120内部に貯留された遊技媒体の取り出しを不能にすることができるように形成されている。
【００２３】
前記払い出し皿120の左右側壁の内面側には、シャッターカバー部材220の移動を案内する縦断面形状が凹溝状のカバー案内溝223が形成されている。このカバー案内溝223の内部を、シャッターカバー部材220の後述する棒状のカバー支持突起222が前後方向に摺動可能に形成されているものである。
なお、図２に示すように、シャッターカバー部材220が奥側に巻き取られている状態が、通常状態の位置となる。そして、図１に示すように、シャッターカバー部材220が、手前側に移動してきて、払い出し皿120の開口部122を覆っている状態が、閉塞状態の位置となるものである。
【００２４】
前記払い出し皿120の上には、図１、図２及び図５に示すように、払い出し皿120から遊技機10内部に手等を差し込むことができないように、中央の払い出し口161の左右に、払い出し皿120の遊技機10内部の上方向を塞ぐ上面塞ぎ板162が形成されている。
前記払い出し皿120は、図２に示すように、シャッターカバー部材220がカバー用開口部225の奥側に巻き取られて収納されている状態にあるとき、払い出し装置65の排出口160から排出される遊技メダルが、前扉14の裏面側に固定された側壁が逆ハの字状の案内通路163に案内されて、払い出し口161から払い出し皿120の内部に投入されるように形成されている。
【００２５】
更に、前記払い出し皿120は、図１に示すように、シャッターカバー部材220が前面側にせり出して、払い出し皿120の開口部122を閉塞している状態にあるときは、払い出し装置65の排出口160から排出される遊技メダルは、シャッターカバー部材220に邪魔されて、払い出し皿120内部に入らず、案内通路163内部に溜まるように形成されている。そして、案内通路163内部に溜まった遊技媒体は、シャッターカバー部材220を巻き取ると、下方の払い出し皿120に投入されるように形成されている。
（制御装置20）  前記制御装置20は、図示しないが、ＣＰＵを中心に構成され、ＲＯＭ、ＲＡＭ、Ｉ／Ｏ等を備えている。そして、ＣＰＵがＲＯＭに記憶されたプログラムを読み込むことで、次の（１）遊技制御装置21及び（２）演出制御装置22の装置を有するものである。
【００２６】
図６に示すように、スタートスイッチ30及びストップスイッチ50の操作により、回転リール40の回転及び停止を制御するための遊技制御装置21と、ランプやスピーカー等の報知手段66を制御するための演出制御装置22とが内蔵されている。また、ＣＰＵは、遊技制御装置21及び演出制御装置22に、それぞれ一個ずつ配置されているが、特にこれに限定されるものではなく、一個のＣＰＵで制御しても良く、或いは、二個以上のＣＰＵで制御するようにしても良いものである。また、ＣＰＵ、ＲＯＭ、ＲＡＭ及びＩ／Ｏ等は一体化されてワンチップを構成しても良いものである。
（遊技制御装置21）  前記遊技制御装置21は、スタートスイッチ30及びストップスイッチ50の遊技者による操作により、回転リール40の回転及び停止を制御するためのものである。この遊技制御装置21は、次の手段として機能する。
【００２７】
（１）遊技制御手段27
（２）当選抽選手段110
（３）エラー信号発生手段130
（４）カバー駆動制御手段180
また、遊技制御装置21としては、上記した手段に限定されるものではなく、他の手段を含んでいても良い。
（演出制御装置22）  前記演出制御装置22は、主として演出データに関するものであって、報知ランプ69やスピーカー67等の報知手段66を制御するためのものである。そして、遊技制御装置21の内部データの信頼性を担保するため、遊技制御装置21と演出制御装置22との間での信号のやりとりは、一方通行となるように設定されている。すなわち、遊技制御装置21から、演出制御装置22に向かって出力信号のみが送出され、この演出制御装置22から遊技制御装置21に向かっていかなる信号も送出されないように設定されている。これにより、当選率等の抽選に関するデータを有する遊技制御装置21のデータ保護を容易なものにすることができる。
【００２８】
そして、この演出制御装置22は、次の手段として機能する。
（１）演出データ記憶手段25
（２）演出制御手段26
前記制御装置20の入力側には、主として制御装置20に信号を送る入力手段が配置され、前記制御装置20の出力側には、主として制御装置20からの信号が送り込まれる出力手段が配置されている。
（入力手段）  前記制御装置20の入力側には、図６に示すように、次のパーツが接続されている。
【００２９】
（１）投入スイッチ15
（２）ベットスイッチ16
（３）精算スイッチ17
（４）スタートスイッチ30（変動開始操作手段31）
（５）ストップスイッチ50（変動停止操作手段51）
なお、入力手段としては、上記した（１）乃至（５）のパーツに限定されるものではない。
（出力手段）  前記制御装置20の出力側には、図６に示すように、次のパーツが接続されている。
【００３０】
（１）払い出し装置65
（２）リールユニット60（図柄表示手段41、モータードライバ62、駆動モーター63）
（３）閉塞手段210
（４）報知手段66（報知ランプ69、スピーカー67及び表示装置68）
なお、出力手段としては、上記した（１）乃至（４）のパーツに限定されるものではない。
（投入スイッチ15）  前記投入スイッチ15は、図５に示すように、回転リール40の斜め下方に位置するスイッチであって、遊技メダルのメダル投入口18から投入された遊技メダルを検知するためのものである。
【００３１】
（ベットスイッチ16）  前記ベットスイッチ16は、図５に示すように、回転リール40の下方に位置するスイッチであって、遊技者により予め投入されて遊技機内部に貯留した貯留メダル数を減じてメダル投入に代えるためのものである。
（精算スイッチ17）  前記精算スイッチ17は、図５に示すように、回転リール40の斜め下方に位置するスイッチであって、貯留した投入メダルを払い出すためのものである。
（スタートスイッチ30）  前記スタートスイッチ30は、前記図柄表示手段41としての回転リール40の回転停止表示を回転変動表示へ移行させるために遊技者により変動開始操作が可能な変動開始操作手段31である。このスタートスイッチ30は、図５に示すように、回転リール40の斜め下方に位置するレバーであって、遊技メダルの投入若しくはベットスイッチ16の投入を条件に、または、「再遊技（リプレイ、Replay）」時には前遊技から所定時間経過を条件に、リールユニット60の駆動を開始させるためのものである。
【００３２】
なお、ここで、「再遊技（リプレイ、Replay）」とは、当選抽選手段110の抽選により、「再遊技（リプレイ、Replay）」のフラグが成立し、「再遊技（リプレイ、Replay）」の図柄が入賞有効ライン上に揃うことにより、次の遊技において、遊技メダルを新たに投入することなく、再度、遊技を行うことができるものである。
（ストップスイッチ50）  前記ストップスイッチ50は、前記図柄表示手段41の回転変動表示を回転停止表示へ移行させるために遊技者により複数個の前記図柄表示手段41を別個独立に停止操作が可能な変動停止操作手段51であって、リールユニット60の駆動モーターの回転を停止させるためのものである。具体的には、ストップスイッチ50は、図５に示すように、各回転リール40に対応した三個のスイッチから構成され、各回転リール40の下方に１個ずつ配置されているものである。遊技者が回転リール40に対応したストップスイッチ50を指で押す又は触れる等の停止操作により、当該対応した回転リール40が回転を停止するように設定されているものである。
【００３３】
（払い出し装置65）  前記払い出し装置65は、いわゆるホッパーユニットであって、投入された遊技媒体を貯留することができるとともに、入賞した場合に、遊技者に向かって所定数の遊技媒体としての遊技メダルを払い出すためのものである。この払い出し装置65は、遊技制御装置21からの制御信号により、前面側の排出口160から遊技メダルを排出するように形成されている。そして、この排出口160から排出された遊技メダルは、前扉14の裏面側に正面視で逆ハ字状の側面を有する案内通路163の通路内部に落下するように形成されている。そして、案内通路163の内部に落下した遊技メダルは、案内通路163の下方に開口する払い出し口161から、払い出し皿120の内部に落下するように形成されている。
【００３４】
（リールユニット60（図柄表示手段41、モータードライバ62、駆動モーター63））  前記リールユニット60は、複数の配列された図柄を回転変動表示又は回転停止表示するための複数個の図柄表示手段41を備えているものである。この図柄表示手段41は、２１個の図柄を周囲に均等に配列した筒状の回転リール40を有している。すなわち、リールユニット60には、３個の駆動モーター63が、基体としての枠体に固定或いは支持されている。そして、各々の駆動モーター63の回転駆動軸には、三個の回転リール40の回転中心軸が固定されている。そして、各回転リール40は、合成樹脂からなる回転ドラムと、この回転ドラムの周囲に貼付されるテープ状のリールテープ42とを備えている。このリールテープ42の外周面には、複数個（２１個）の図柄61が表示されている。そして、回転リール40の一部に、突出している突出片状のいわゆるスタートインデックスが形成してある。そして、駆動モーター63による回転を開始した後、前記スタートインデックスを光センサー等により検知してからの回転角度を認識することで、現在位置を特定し、その後、所定角度で停止させることによって、停止制御が行われるものである。この光センサーは、全体形状が、略コ字状であって、一端に発光素子（ＬＥＤ）が配置され、他端に受光素子（フォトトランジスタ）が配置され、そのコ字状の内部を、突出片状のスタートインデックスが移動することにより、発光素子からの光が遮断され、スタートインデックスの位置を検知可能なものである。
【００３５】
更に、この回転リール40の外周表面の２１個の図柄61には、各図柄61の表示位置により異なる図柄番号が付与されている。そして、この回転リール40の回転駆動軸には、回転リール40を回転駆動させるための回転駆動源である駆動モーター63としてのステッピングモーター64が固定されている。このステッピングモーター64は、リールユニット60の基体である枠体に固定されて所定の回転角度だけ回転リール40を回転させるための回転駆動力を発生するものである。このリールユニット60には、このステッピングモーター64を回転駆動させるためのモータードライバ62が形成されている。このモータードライバ62には、遊技制御装置21からの制御信号としてのパルス信号が入力されることにより、ステッピングモーター64を回転駆動させる駆動電力を供給するためのものである。
【００３６】
（閉塞手段210）  前記閉塞手段210は、後述するエラー信号発生手段130のエラー信号の発生により、払い出し皿120から遊技者による遊技媒体の取り出しを不能にするために、払い出し皿120の開口部122を閉塞するためのものである。
前記閉塞手段210は、払い出し皿120の開口部122を覆う巻き取り可能なシャッターカバー部材220を備えている。そして、閉塞手段210は、シャッターカバー部材220を左右方向の水平軸で巻き取るように回転させることにより、或いは、その逆回転させることにより、払い出し皿120の開口部122を前後方向に進退可能に形成されている。
前記閉塞手段210は、払い出し皿120の開口部122に、カバー用開口部225からシャッターカバー部材220をせり出して、払い出し皿120開口部122を覆って、かかる開口部122を閉塞することができるように形成されている。
【００３７】
また、閉塞手段210は、払い出し皿120の開口部122を覆うシャッターカバー部材220を遊技機10内部に巻き取ることにより、払い出し皿120の開口部122を開放して、元の状態に戻すことができるように形成されている。
更に、具体的に説明すると、前記閉塞手段210は、後述するカバー駆動制御手段180により制御されるカバー駆動モータ230と、このカバー駆動モータ230の出力軸に取り付けられた巻き取り軸240と、巻き取り軸240の表面に一端が固定されて巻き取り可能なシャッターカバー部材220とを備えている。
前記カバー駆動制御手段180は、巻き取り軸240により巻き取られて遊技機10内部に収納されている場合に、エラー信号発生手段130からのエラー信号の入力により、シャッターカバー部材220を手前側にせり出して、払い出し皿120の開口部122を閉塞するように、カバー駆動モータ230を回転させるものである。また、カバー駆動制御手段180は、シャッターカバー部材220が、払い出し皿120の開口部122を覆っている場合に、リセットスイッチが操作されたとき、シャッターカバー部材220が巻き取り軸240に巻き取られて、払い出し皿120の開口部122が開放されるように、カバー駆動モータ230を回転させるものである。
【００３８】
前記カバー駆動モータ230は、前扉14の裏面側の下部に固定されているものであって、カバー駆動制御手段180からの制御信号により正回転又は逆回転の回転が可能なものである。カバー駆動モータ230の回転出力軸は、左右横方向に配置されている。
前記巻き取り軸240は、カバー駆動モータ230の出力軸に直接連結されている円柱状のものであって、シャッターカバー部材220の一端が固定されている。巻き取り軸240の回転中心軸も、左右横方向と平行となるように配置されている。
なお、巻き取り軸240の中心軸を、直接、カバー駆動モータ230の回転中心軸に連結させているが、それらの間に、減速ギア等の中間歯車を介しても良いものである。
【００３９】
前記巻き取り軸240の下方には、シャッターカバー部材220をカバー用開口部225に案内するため、カバー用開口部225にまで延設されたカバー案内片224が形成されている。シャッターカバー部材220は、かかるカバー案内片224の上面を滑りながら、カバー用開口部225へ確実に案内される。
前記シャッターカバー部材220は、縦断面形状が台形状であって、短冊状の短冊部材221と、その短冊部材221の左右側面から横方向に突出する棒状のカバー支持突起222とを備えている。短冊部材221は、前後に隣接する短冊部材221に対して回動可能に連結されている。これにより、巻き取り軸240に巻き取り可能となるものである。
【００４０】
前記シャッターカバー部材220のカバー支持突起222は、払い出し皿120の左右内側面に形成された凹溝状のカバー案内溝223の内部を前後に摺動可能に形成されている。
（報知手段66）  前記報知手段66は、遊技者に当選や入賞等を音や光や映像で報知させるためのものである。具体的には、報知手段66は、筐体11の下部に埋め込まれた左右２個のスピーカー67と、表示窓12の上部中央に配置されたドット状の大型パネルＬＥＤからなる表示装置68と、表示窓12の周囲縁に配置された５個の報知ランプ69とを備えているものである。そして、この報知手段66は、演出制御装置22の制御により、当選時や入賞時にスピーカー67から当選音や入賞音を発生させ、報知ランプ69を点灯又は点滅させることにより、また、表示装置68に図柄模様や文字列を点灯表示させることにより、遊技者に当選や入賞等を報知させるためのものである。
【００４１】
（遊技制御手段27）  前記遊技制御手段27は、遊技を行わせるためのものであって、当選抽選手段110の抽選結果に対応した停止制御を図柄表示手段41に対して行うためのものである。
遊技制御手段27は、メダルの投入若しくはベットスイッチ16の投入を条件に、または、「再遊技（リプレイ、Replay）」時には前遊技から所定時間経過を条件に、スタートスイッチ30を操作すると、リールユニット60が駆動され、三個の回転リール40が回転を開始する。その後、ストップスイッチ50の一個を操作すると、当該対応する回転リール40の回転が停止する。そして、ストップスイッチ50を三個全て操作し終わると、三個の回転リール40の回転が全て停止する。このとき、表示窓12の入賞有効ライン上に、予め設定された図柄61が停止すると、ホッパーユニット65を介して所定枚数のメダルが払い出される。なお、メダルを払い出す代わりに、クレジットしても良い。
【００４２】
当選には、入賞した場合、遊技メダルの払い出しを伴い、遊技者に利益を付与する小役当選（この小役当選が入賞した場合は小役入賞となる）と、入賞した場合、この小役当選よりもさらに大きな利益を遊技者に付与する特別当選（この特別当選が入賞した場合は特別入賞となる）と、入賞した場合、遊技メダルの払い出しは無いが、遊技メダルを新たに投入することなく再度の遊技を行うことができる「再遊技（リプレイ、Replay）当選」（この再遊技当選が入賞した場合は再遊技入賞となる）の当選とを備えている。そして、その抽選結果がいずれかの当選となった場合（内部入賞とも言う。）、その当選に対応した当選フラグが成立する。
【００４３】
ここで、「フラグ」とは、当選抽選手段110の抽選結果が所定の役に当選の場合に、当選であることを記憶しておくためのメモリーであり、小役当選の場合には、小役当選フラグを成立させ、抽選結果が特別当選である場合には特別当選フラグを成立させるものである。そして、この特別当選の当選フラグ成立中に、リールユニット60の回転リール40の停止図柄61の組み合わせが、予め定められた所定の当選図柄61（例えば、入賞有効ライン上に「７」が三個揃うもの）と一致したことを条件に入賞し、遊技者に有利な特別遊技を行わせるように形成されている。そして、抽選により特別当選フラグが成立したが、回転リール40の停止図柄61の組み合わせが当選図柄61と一致していない場合、それ以後の遊技に当選フラグ成立の権利が持ち越されるように設定されている。なお、小役当選の当選フラグは、当選フラグが成立した遊技で入賞させられない場合、当選フラグ成立の権利の次の遊技への持ち越しはない。
【００４４】
（蹴飛ばし設定と、引き込み設定）  前記回転リール40の回転及び停止を制御する停止制御として、入賞図柄の組み合わせを遊技者がストップスイッチ50を操作して所定位置に停止させようとしても、回転リール40が回転して、かかる当選図柄が所定位置に揃わないように設定した蹴飛ばし設定と、ストップスイッチ50を操作した状態から所定の図柄数だけ回転リール40の回転上流側に位置する引き込み可能図柄の中に、当選フラグ成立中の当選図柄が含まれているような場合に、当選図柄を所定位置にまで引き込んで停止するように設定した引き込み設定とを備えている。
また、いずれかの当選フラグが成立中に、対応する当選図柄61を入賞有効ライン上に揃えることができるか否かは、回転リール40の回転速度が一定の場合、ストップスイッチ50のタイミングによるものである。具体的には、ストップスイッチ50を操作した後、１９０ｍｓ以内に回転リール40が停止するように設定されているため、ストップスイッチ50を操作した後、そのまま停止させるか、或いは１９０ｍｓ以内に停止可能な回転リール40の円周上の引き込み可能図柄61、例えば停止位置の図柄の上の図柄から連続する４個の引き込み可能図柄61の中、すなわち停止位置の図柄も含めて全部で５個の図柄中に、対応する当選図柄61が含まれているような場合には、停止するまでの時間を遅らせて、回転リール40は入賞有効ライン上にその当選図柄61を引き込んで停止する。一方、停止位置の図柄及びかかる４個の引き込み可能図柄61の中、すなわち全部で５個の図柄中に、対応する当選図柄61が含まれていないような場合には、入賞有効ライン上にその当選図柄61を引き込んで停止することができない。また、いずれの当選フラグも成立していない場合には、入賞図柄の入賞確定は不可能となるように設定されている。すなわち、いずれの当選フラグも成立していない場合には、蹴飛ばし設定により、入賞図柄が、所定の入賞有効ライン上に揃わないような位置に停止する、いわゆる蹴飛ばされる。
【００４５】
なお、ここで、「役」とは、各回転リール40で予め定めた入賞図柄の組み合わせを意味するものであって、入賞となる入賞態様の総称を意味するものである。具体的には、役とは、例えば、左、中、右の回転リール40の所定の入賞有効ライン上の停止図柄が、それぞれ青セブン、青セブン、青セブンとなることにより、入賞となるような入賞図柄の組み合わせ（入賞態様）を意味するものである。
（当選抽選手段110）  前記当選抽選手段110は、予め定めた当選率に基づいて当選か否かの当選判定の抽選を行うものである。そして、当選抽選手段110による抽選結果が当選である場合（内部入賞とも言う。）に当選フラグが成立し、この当選フラグ成立中に、回転リール40の停止図柄の組み合わせが予め定められた当選図柄と一致したことを条件に入賞し、遊技者にメダルの払い出しや、特別遊技等の利益が付与されるように設定されている。
【００４６】
（エラー信号発生手段130）  前記エラー信号発生手段130は、遊技中に通常動作とは異なる異常動作を検出したときにエラー信号を発生させるためのものである。
前記エラー信号発生手段130は、以下に示す（１）、（２）及び（３）の３つの場合のように、いわゆるクレジット満タンゴトの発生の可能性のあるときには、エラー信号を発生させるように形成されている。
（１）エラー信号発生手段130は、投入スイッチ15の検出センサーにより、検知した遊技メダルの投入の速さが、予め定めた所定範囲の投入速度を超えるような異常な速さで投入されているときには、エラー信号を発生させる。
【００４７】
（２）前記エラー信号発生手段130は、投入スイッチ15の検出センサーにより、投入された遊技メダルが、予め定めた所定範囲の投入速度に到達せずに、予め定めた時間以上、遊技メダルがセレクターの内部に留まっているようなときには、エラー信号を発生させる。
（３）前記エラー信号発生手段130は、投入スイッチ15の検出センサーにより、遊技メダルが所定の進行方向とは逆方向に移動している（逆流している）ようなときには、エラー信号を発生させる。
前記エラー信号発生手段130は、上述したようなクレジット満タンゴトの可能性のある場合だけでなく、遊技中にその他の通常動作とは異なる異常動作を検出したときにエラー信号を発生させる。
【００４８】
前記エラー信号発生手段130は、エラー信号を発生させた場合、かかるエラー信号をカバー駆動制御手段180へ出力するものである。
（カバー駆動制御手段180）  前記カバー駆動制御手段180は、エラー信号発生手段130からのエラー信号に基づいて、カバー駆動モータ230を回転制御するためのものである。
前記カバー駆動制御手段180は、シャッターカバー部材220が、図２及び図４に示すように、巻き取り軸240に巻き取られて、払い出し皿120の開口部122が閉塞されていない場合、エラー信号発生手段130からのエラー信号が入力されると、シャッターカバー部材220をカバー用開口部225から手前側にせり出させて、払い出し皿120の開口部122を、シャッターカバー部材220により閉塞する方向にカバー駆動モータ230を回転させる。
【００４９】
なお、カバー駆動制御手段180は、初期状態からの内部メモリーにより、シャッターカバー部材220が、巻き取り軸240に巻き取られて、払い出し皿120の開口部122を閉塞していない通常状態の位置にあるのか、或いは、シャッターカバー部材220が手前側にせり出して、払い出し皿120の開口部122を閉塞している状態にあるのか、判断できるように形成されている。なお、初期状態は、開放状態に設定されている。
前記カバー駆動制御手段180は、シャッターカバー部材220が手前側にせり出して、払い出し皿120の開口部122を閉塞している場合、リセットスイッチがされると、シャッターカバー部材220は、巻き取り軸240に巻き取られて、シャッターカバー部材220は、遊技機10内部に収納されて、払い出し皿120の開口部122が閉塞されないような方向にカバー駆動モータ230を回転させる。なお、リセットスイッチは、特に図示していないが、電源装置19の前面側に配置されているものである。
【００５０】
なお、本形態では、シャッターカバー部材220が収納されている場合、全てのエラー信号に対して、カバー駆動制御手段180は、反応して皿駆動モータ141を回転駆動させるように形成されているが、全てのエラー信号に対してカバー駆動制御手段180が反応してシャッターカバー部材220をせり出すように移動させるのではなく、予め定めた特定のエラー信号の発生のときだけに、カバー駆動制御手段180が反応して、かかる場合にだけ、払い出し皿120の開口部122を閉塞させるように設定しても良い。具体的には、上述したクレジット満タンゴトの可能性のある（１）、（２）及び（３）の３つの場合に発生するエラー信号が発生した場合のみ、シャッターカバー部材220を手前側にせり出して、払い出し皿120の開口部122を閉塞させるように設定しても良いものである。
【００５１】
（演出データ記憶手段25）  前記演出データ記憶手段25は、報知手段66の演出データを記憶するためのものである。具体的には、例えば、入賞時の報知手段66のスピーカー67から発生させるサウンドや、報知ランプ69の点灯、点滅の時間や順序等のデータや、表示装置68に表示される図柄模様及び文字列のデータが記憶されているものである。もちろん、記憶する演出内容は、これらに限定されるものではなく、予め記憶された音声や、振動や、他のランプの点灯等の種々の報知手段によるものでも良いものである。
（演出制御手段26）  前記演出制御手段26は、演出データ記憶手段25からの各演出データを、制御装置20等からの制御信号に基づいて、報知手段66に出力し、かかる装置を制御するためのものである。すなわち、当選フラグ成立の可能性が大きいときや、所定の当選フラグ成立中に所定の入賞有効ライン上に当該当選図柄が揃うことにより入賞したときに、演出データ記憶手段25からの演出情報に基づいて、報知ランプ69の所定位置のランプを点灯や点滅させたり、スピーカー67から所定の電子音を発生させたり、表示装置68に所定の図柄模様及び文字列を点灯表示させるためのものである。
【００５２】
（遊技機10の動作）  次に、前記構成を備えた遊技機のシャッターカバー部材220の進退による払い出し皿120の開閉の制御の概略について、図７及び図８に示したフローを用いて説明する。
先ず、図７に示すフローは、払い出し皿120の開口部122を閉塞する場合の制御を示すフローである。
先ず、ステップ１１０において、カバー駆動制御手段180により、閉塞手段210としてのシャッターカバー部材220が、払い出し皿120の開口部122を覆って閉塞しているか否かが判定される。そして、閉塞手段210としてのシャッターカバー部材220が、払い出し皿120の開口部122を閉塞していないと判定された場合、次のステップ１１１に進む。
【００５３】
ステップ１１１において、カバー駆動制御手段180により、エラー信号を検知したか否かが判定される。そして、カバー駆動制御手段180により、エラー信号を検知している判定された場合、次のステップ１１２に進む。
ステップ１１２において、カバー駆動制御手段180により、カバー駆動モータ230を、シャッターカバー部材220が払い出し皿120の開口部122を覆う方向に回転駆動させて、シャッターカバー部材220を手前側にせり出させて、払い出し皿120の開口部122を閉塞する。これにより、遊技者は、払い出し皿120内部の遊技メダルを取り出すことができないようになる。そして、当該制御処理が終了する。
【００５４】
前記ステップ１１０において、閉塞手段210としてのシャッターカバー部材220が、払い出し皿120の開口部122を閉塞していると判定された場合、当該制御処理が終了する。
前記ステップ１１１において、カバー駆動制御手段180により、エラー信号を検知していないと判定された場合、当該制御処理が終了する。
図８に示すフローは、払い出し皿120の開口部122を開放する場合の制御を示すフローである。
先ず、ステップ２１０において、カバー駆動制御手段180により、閉塞手段210としてのシャッターカバー部材220が、払い出し皿120の開口部122を覆って閉塞しているか否かが判定される。そして、閉塞手段210としてのシャッターカバー部材220が、払い出し皿120の開口部122を閉塞していると判定された場合、次のステップ２１１に進む。
【００５５】
ステップ２１１において、リセットスイッチが操作されたか否かが判定される。そして、リセットスイッチが操作されたと判定された場合、次のステップ２１２に進む。
ステップ２１２において、カバー駆動制御手段180により、カバー駆動モータ230を回転駆動させる。その際、カバー駆動モータ230は、シャッターカバー部材220を巻き取り軸240により巻き取る方向に回転駆動する。そして、シャッターカバー部材220を遊技機10内部に巻き取って収納し、払い出し皿120の開口部122を開放した元の通常状態に戻す。そして、当該制御処理が終了する。
前記ステップ２１０において、払い出し皿120の開口部122がシャッターカバー部材220により閉塞されていないと判定された場合、当該制御処理が終了する。
【００５６】
前記ステップ２１１において、リセットスイッチが操作されていないと判定された場合、当該制御処理が終了する。
（作用）  エラー信号発生手段130が、遊技中に通常動作とは異なる異常動作を検出したときには、エラー信号を発生する。そして、エラー信号発生手段130でのエラー信号の発生により、カバー駆動制御手段180が、閉塞手段210のカバー駆動モータ230を、回転駆動させる。その際、カバー駆動制御手段180は、払い出し皿120の開口部122にシャッターカバー部材220が覆うような方向に移動するように、カバー駆動モータ230に連結する巻き取り軸240を回転駆動させる。すなわち、カバー駆動モータ230は、シャッターカバー部材220が前面側に向かってせり出す方向に巻き取り軸240を回転させ、払い出し皿120の開口部122をシャッターカバー部材220により閉塞して、隠してしまう。これにより、払い出し皿120内部に貯留している遊技媒体を、遊技者が取り出すことができなくなる。したがって、エラー信号が発生する前、不正行為者（ゴト師）の不正行為により、既に遊技媒体としての遊技メダルが払い出し皿120へ払い出されていても、払い出し皿120内部の遊技媒体の取り出しが不可能になってしまう。これにより、かかる遊技媒体が不正行為者（ゴト師）の手に渡ってしまうのを防止することができる。結果として、不正行為検知時に、既に、払い出し皿120へ払い出された遊技メダルを不正行為者（ゴト師）から没収することができる。
【００５７】
また、払い出し皿120の開口部122をシャッターカバー部材220が覆っている状態で、リセットスイッチが操作された場合、カバー駆動制御手段180は、シャッターカバー部材220が巻き取り軸240により巻き取られて払い出し皿120の開口部122が開放した元の通常状態へ戻るようにカバー駆動モータ230を回転駆動させる。これにより、払い出し皿120を元の状態の位置へ戻すことができる。
また、閉塞手段210は、巻き取り可能なシャッターカバー部材220を使用している。このため、シャッターカバー部材220は、通常時は、遊技機10内部で巻き取ることにより、コンパクトに小さな占有空間内で収納することができる。したがって、遊技機10内部の空間の有効利用が可能となる。
【００５８】
（第２の形態）
図９及び図１０は、本発明の第２の形態であって、図９は移動板で払い出し皿の開口部を閉塞した状態の遊技機の縦断面図、図１０は移動板を奥側に収納して、払い出し皿の開口部を開放した状態の遊技機の縦断面図をそれぞれ示すものである。
本形態に係る閉塞手段210は、遊技機10奥方向から払い出し皿120の開口部122に移動して、払い出し皿120の開口部122を隠す移動板320を備えていることを特徴とするものである。本形態は、第１の形態と比較して、閉塞手段210が異なるものであり、その他の構成や作用及び効果等は、第１の形態と同一のものである。以下、主に第１の形態と異なる箇所を説明する。図５、６、７及び８は、本形態でも、そのまま適用できるものである。
【００５９】
本形態に係る前記閉塞手段210は、第１の形態と同様にエラー信号発生手段130のエラー信号の発生により、払い出し皿120から遊技者による遊技媒体の取り出しを不能にするために、払い出し皿120の開口部122を閉塞するためのものである。そして、この閉塞手段210は、第１の形態と同様に、リセットスイッチの操作により、閉塞状態をリセットして、元の開放状態にすることができるように形成されている。
前記閉塞手段210は、払い出し皿120の前後方向に進退可能な移動板320を備えている。そして、閉塞手段210は、移動板320を手前側に水平移動させることにより、或いは、その奥方向に水平移動させることにより、払い出し皿120の開口部122を前後方向に進退可能に形成されている。
【００６０】
前記閉塞手段210は、払い出し皿120の開口部122に、カバー用開口部225から移動板320をせり出して、払い出し皿120開口部122を覆って、かかる開口部122を閉塞することができるように形成されている。
また、閉塞手段210は、払い出し皿120の開口部122を覆う移動板320を遊技機10内部に収納することにより、払い出し皿120の開口部122を開放して、元の状態に戻すことができるように形成されている。
更に、具体的に説明すると、前記閉塞手段210は、カバー駆動制御手段180により制御されるソレノイド330と、このソレノイド330のソレノイド本体332から進退する進退軸331の先端に固定された移動板320とを備えている。
【００６１】
前記ソレノイド330は、カバー駆動モータ230により電磁力により駆動力を付与するソレノイド本体332と、このソレノイド本体332から前後方向に進退可能な進退軸331とを備えている。そして、この進退軸331の手前側の先端部には移動板320の左右方向中央の奥方向端部が固定されている。
前記ソレノイド330は、そのソレノイド本体332が筐体11の奥側を塞ぐ裏板191に固定されている。そして、移動板320の奥側から進退軸331で移動板320を押すことにより、移動板320を手前側にせり出し、また、移動板320を奥方向へ進退軸331で引っ張ることにより、移動板320を奥側に収納することができるように形成されている。
【００６２】
払い出し皿120の左右の側部材の内側の面には、移動板320を案内するために移動板320の左右端部が入り込んで摺動可能な凹溝状の移動板案内溝341が形成されている。そして、払い出し皿120の奥方向の左右には、移動板320を支持するための板状の移動板案内部340が形成されている。この移動板案内部340は、奥方向に移動した移動板320を挟み込むことができるように左右に２個形成されているものである。そして、この移動板案内部340の内側の面には、払い出し皿120の移動板案内溝341に連通するとともに、移動板320を案内するための凹溝状の移動板案内溝341が形成されている。
第１の形態と同様に、カバー駆動制御手段180が、エラー信号発生手段130からのエラー信号を入力すると、ソレノイド330の進退軸331を可動させて、払い出し皿120の開口部122を移動板320が閉塞する。
【００６３】
また、第１の形態と同様に、カバー駆動制御手段180は、移動板320が払い出し皿120の開口部122を閉塞している状態において、リセットスイッチが操作されると、ソレノイド330の進退軸331を可動させて、移動板320を奥側に引っ込ませて、払い出し皿120の開口部122を開放した元の状態に戻す。
本形態に係る閉塞手段210は、払い出し皿120の開口部122を閉塞するために平板状の移動板320を使用している。かかる移動板320は、剛性が高く、強度的に強固なものにすることができ、かかる強度的に強固な移動板320により、払い出し皿120の開口部122を覆うことができる。このように移動板320で払い出し皿120の開口部122を覆うことにより、払い出し皿120内部の遊技メダルの没収を確実なものにすることができる。また、移動板320を前後に移動しているだけなので、構造を簡単なものにすることができ、故障の発生を抑えることができる。
【００６４】
なお、ここで、移動板320は、遊技メダルが通過することができないような網目形状のものでも良いものである。これにより、移動板320が閉塞した状態においても、払い出し皿120の内部を外部から目視することが可能となる。
（第３の形態）
図１１、図１２及び図１３は、本発明の第３の形態であって、図１１はパネルを下方に移動して、払い出し皿の開口部を閉塞した状態の遊技機の縦断面図、図１２はパネルを上方の元の位置に戻して、払い出し皿の開口部を開放した状態の遊技機の縦断面図、図１３はパネル駆動モータ、ピニオン及びラックの外観斜視図をそれぞれ示すものである。
【００６５】
本形態に係る遊技機10は、払い出し皿120の上方に位置して、遊技機10の遊技内容の情報を表示するパネル420を備えている。そして、本形態に係る閉塞手段210は、前記パネル420と、このパネル420を下方に移動させて、払い出し皿120の開口部122をパネル420によって隠すパネル移動手段430とを備えていることを特徴とするものである。その他の構成や作用及び効果等は、第１の形態と同一のものである。以下、主に第１の形態と異なる箇所を説明する。図５、６、７及び８は、本形態でも、そのまま適用できるものである。
本形態に係る前記閉塞手段210は、第１の形態と同様にエラー信号発生手段130のエラー信号の発生により、払い出し皿120から遊技者による遊技媒体の取り出しを不能にするために、払い出し皿120の開口部122を閉塞するためのものである。そして、この閉塞手段210は、リセットスイッチの操作により、閉塞状態をリセットして、元の開放状態にすることができるように形成されている。
【００６６】
前記閉塞手段210は、前面側に遊技機の情報を表示するとともに、上下方向に移動可能なパネル420と、このパネル420を上下方向に移動させるためのパネル移動手段430とを備えている。
前記パネル420は、通常状態において、図１２に示すように、払い出し皿120の上方であって、スタートスイッチ30等の操作スイッチの下方に位置している。このパネル420の前面側には、型式や認定等のラベルが貼付されたり、遊技機の名称や、遊技内容や遊技に登場するキャラクター等が描かれているものである。
前記パネル420は、特に図示していないが横断面形状が略コ字状に形成され、図１１に示すように下方に移動した際には、払い出し皿120の前面側を覆うことにより、払い出し皿120の開口部122を閉塞することができるように形成されている。
【００６７】
前記パネル移動手段430は、前扉14の裏面側に固定されて、カバー駆動制御手段180により回転駆動するパネル駆動モータ431と、このパネル駆動モータ431の回転出力軸の先端に固定されたピニオン433としてのモーターギア432と、このピニオン433の周囲の歯に噛み合うとともに、パネル420の裏面側に固定された上下方向に長尺状のラック434とを備えている。
前記パネル駆動モータ431は、カバー駆動制御手段180からの制御命令により、正回転又は逆回転が可能となるものである。
前記ピニオン433は、パネル駆動モータ431の出力軸であるモーターギア432であって、パネル420の裏面に固定されたラック434の片面の歯に噛み合うような歯が周囲に形成された歯車である。なお、モーターギア432を直接、ピニオン433としたが、モーターギア432と、ピニオン433を別にして、モーターギア432とピニオン433との間に、減速ギア等の中間歯車を介しても良いものである。
【００６８】
前記ラック434は、左右の一方の片面にピニオン433の周囲の歯と噛み合う歯を有する直線状の長尺部材である。このラック434がパネル420の裏面に固定されている。このため、パネル駆動モータ431が回転して、ピニオン433が回転すると、ピニオン433に噛み合うラック434が上下方向に移動して、ラック434に固定されているパネル420も上下方向に移動可能となる。
第１の形態と同様に、カバー駆動制御手段180が、エラー信号発生手段130からのエラー信号を入力すると、パネル駆動モータ431の出力軸を回転させて、パネル420を下方に移動させ、払い出し皿120の開口部122を含む前面側を覆う。これにより、払い出し皿120の開口部122を閉塞することができる。
【００６９】
また、第１の形態と同様に、カバー駆動制御手段180は、パネル420が下方に移動して、払い出し皿120の開口部122を閉塞している状態において、リセットスイッチが操作されると、パネル駆動モータ431の回転出力軸を逆回転させて、パネル420を上方側に移動させ、払い出し皿120の開口部122を開放した元の状態に戻す。
本形態に係る閉塞手段210は、遊技内容の情報を表示するパネル420を下方に移動させて、払い出し皿120の開口部122を前面側から隠すようにしている。このように、遊技内容の情報を表示するパネル420を、払い出し皿120の開口部122を隠す部材として利用することにより、部品の共有化を図ることができて、部品点数の減少化、部品の製造コストの低減化を図ることができる。
【００７０】
また、払い出し皿120は、パネル420によって覆われるので、覆った状態での遊技機10の外観を損なわないようにすることができる。
なお、本形態では、パネル420を下方に移動させるために、パネル420により前面側を覆っていた遊技機10の内部部分が、開放した状態となる。このため、かかる位置に重要部品等が存在するような場合は、不正行為者が、かかる重要部品に触ることが可能となる。このような事態を防止するために、特に図示していないが、パネル420を外側パネルと、内側パネルとの２重構造のものにして、外側パネルは、元の位置で固定し、重要部品等が露出してしまうのを防止し、内側パネルは、本形態で説明したパネル420と同様の構造で、下方に移動可能とすることにより、払い出し皿120の開口部122の閉塞状態を実施することができるように形成しても良いものである。
【００７１】
また、本形態では、閉塞手段210は、移動するパネル420にしているが、パネル420を移動させずに、パネル420の下部から延びて、払い出し皿120の前面側を覆ってしまうような機構のものを形成しても良いものである。例えば、閉塞手段210として、巻き取り可能なロールカーテン状の軟質部材や、巻き取り可能なシャッター部材を、固定したパネル420の下部に取り付け、エラー信号が発生した際に、下方に伸ばすことにより、払い出し皿120の前面側を本形態の移動するパネル420と同様に塞ぐことができるように形成しても良いものである。
【図面の簡単な説明】
【００７２】
【図１】本発明の第１の形態であって、シャッターカバー部材で払い出し皿の開口部を閉塞した状態の遊技機を示す縦断面図である。
【図２】本発明の第１の形態であって、シャッターカバー部材を奥側に巻き取って、払い出し皿の開口部を開放した状態の遊技機を示す縦断面図である。
【図３】本発明の第１の形態であって、シャッターカバー部材で払い出し皿の開口部を閉塞した状態の遊技機を示す部分縦断面図である。
【図４】本発明の第１の形態であって、シャッターカバー部材を奥側に巻き取って、払い出し皿の開口部を開放した状態の遊技機を示す部分縦断面図である。
【図５】本発明の第１の形態であって、遊技機を示す外観正面図である。
【図６】本発明の第１の形態であって、遊技機の入力、制御及び出力を示すブロック図である。
【図７】本発明の第１の形態であって、払い出し皿の閉塞の制御を示すフローである。
【図８】本発明の第１の形態であって、払い出し皿の閉塞の制御を示すフローである。フローである。
【図９】本発明の第２の形態であって、移動板で払い出し皿の開口部を閉塞した状態の遊技機を示す縦断面図である。
【図１０】本発明の第２の形態であって、移動板を奥側に収納して、払い出し皿の開口部を開放した状態の遊技機を示す縦断面図である。
【図１１】本発明の第３の形態であって、パネルを下方に移動して、払い出し皿の開口部を閉塞した状態の遊技機を示す縦断面図である。
【図１２】本発明の第３の形態であって、パネルを上方の元の位置に戻して、払い出し皿の開口部を開放した状態の遊技機を示す縦断面図である。
【図１３】本発明の第３の形態であって、パネル駆動モータ、ピニオン及びラックを示す外観斜視図である。
【符号の説明】
【００７３】
10  遊技機                              11  筐体
12  表示窓                              13  図柄表示窓
14  前扉                                15  投入スイッチ
16  ベットスイッチ                      17  精算スイッチ
18  メダル投入口                        19  電源装置
20  制御装置                            21  遊技制御装置
22  演出制御装置                        25  演出データ記憶手段
26  演出制御手段                        27  遊技制御手段
30  スタートスイッチ                    31  変動開始操作手段
40  回転リール                          41  図柄表示手段
42  リールテープ                        43  左側回転リール
44  中央回転リール                      45  右側回転リール
50  ストップスイッチ                    51  変動停止操作手段
60  リールユニット                      61  図柄
62  モータードライバ                    63  駆動モーター
64  ステッピングモーター                65  払い出し装置
66  報知手段                            67  スピーカー
68  表示装置                            69  報知ランプ
110  当選抽選手段                      120  払い出し皿
121  レール凹溝                        122  開口部
130  エラー信号発生手段                160  排出口
161  払い出し口                        162  上面塞ぎ板
163  案内通路                          180  カバー駆動制御手段
190  底板                              191  裏板
210  閉塞手段                          220  シャッターカバー部材
221  短冊部材                          222  カバー支持突起
223  カバー案内溝                      224  カバー案内片
225  カバー用開口部                    230  カバー駆動モータ
231  モータ支持部材                    240  巻き取り軸
320  移動板                            330  ソレノイド
331  進退軸                            332  ソレノイド本体
340  移動板案内部                      341  移動板案内溝
420  パネル                            430  パネル移動手段
431  パネル駆動モータ                  432  モーターギア
433  ピニオン                          434  ラック
【図１】
2008036141.tif 000003
【図２】
2008036141.tif 000004
【図３】
2008036141.tif 000005
【図４】
2008036141.tif 000006
【図５】
2008036141.tif 000007
【図６】
2008036141.tif 000008
【図７】
2008036141.tif 000009
【図８】
2008036141.tif 000010
【図９】
2008036141.tif 000011
【図１０】
2008036141.tif 000012
【図１１】
2008036141.tif 000013
【図１２】
2008036141.tif 000014
【図１３】
2008036141.tif 000015